(57)【要約】【課題】  送風機枠板を固定板に仮止め可能につつ、固定板の強度を損なうことのない空気調和機を提供する。【解決手段】  一対の固定板５０、５１の吸込口側端部に螺子止めされる螺子止片３１Ａが送風機枠板３１の前記吸込口側端部に設けられるとともに、前記螺子止片３１Ａの螺子止め位置に、螺子５３の螺子頭５３Ａよりも大径の大径孔６０Ｂと当該螺子頭５３Ａよりも小径の小径孔６０Ａとを含むだるま孔６０Ａが形成され、前記固定板５０、５１に遊嵌された前記螺子５３の螺子頭５３Ａを前記小径孔６０Ｂに係合させて前記送風機枠板３１を仮止め可能にすると共に、この螺子頭５３Ａが前記大径孔６０Ｂの方に位置するように前記送風機枠板３１をずらして前記送風機枠板３１を前記本体１Ａから取り外し可能にした。【選択図】      図４
2006349310.tif 000002
【特許請求の範囲】
【請求項１】
本体を送風機室と熱交換器室とに仕切る仕切板と、前記送風機室に配設される送風機と、前記熱交換器室に配設される熱交換器とを有し、前記送風機室の下方に吸込口が設けられた空気調和機において、
前記仕切板は、前記送風機を保持する送風機枠板と、前記本体に固定される一対の固定板とを備え、
前記一対の固定板の前記吸込口側端部に螺子止めされる螺子止片が前記送風機枠板の前記吸込口側端部に設けられるとともに、前記螺子止片の螺子止め位置に、螺子の螺子頭よりも大径の大径孔と当該螺子頭よりも小径の小径孔とを含むだるま孔が形成され、
前記固定板に遊嵌された前記螺子の螺子頭を前記小径孔に係合させて前記送風機枠板を仮止め可能にすると共に、この螺子頭が前記大径孔の方に位置するように前記送風機枠板をずらして前記送風機枠板を前記本体から取り外し可能にした
ことを特徴とする空気調和機。
【請求項２】
前記本体の天面に設けられ、前記送風機枠板の天面側の端部に沿って延びるガイド部材を更に備え、
前記ガイド部材は前記送風機枠板の天面側の端部に係合する板受け部を有し、
前記ガイド部材には前記板受け部の側面が折り曲げてなる折曲部が設けられ、
前記本体内を前記仕切板に沿って引き回される配線が前記折曲部に保持されるようにした
ことを特徴とする請求項１に記載の空気調和機。
【発明の詳細な説明】
【技術分野】
【０００１】
本発明は空気調和機に関する。
【背景技術】
【０００２】
従来から、略箱型の本体を送風機室と熱交換器室とに仕切る仕切板と、送風機室に配設される送風機ユニットと、熱交換器室に配設される熱交換器とを有し、送風機室の下方に吸込グリルが配設されてなる天吊型の空気調和機が知られている（例えば、特許文献１参照）。また、この種の空気調和機にあっては、図９に示すように、仕切板１００を、本体２００に固定される一対の固定板１０１と、それぞれの固定板１０１に形成されたスリット１０２に螺子１０３を締めて固定される送風機枠板１０４とから構成し、この送風機枠板１０４に送風機ユニット１０５を固定する構成とすることで、メンテナンス等の際に、送風機枠板１０４ごと送風機ユニット１０５を取り外し可能にしたものがある。また、各スリット１０３を略コ字状の経路を含むように形成することで、送風機枠板１０４を固定板１０３に仮止め可能に構成し、高所での送風機ユニット１０５の取り外し作業の容易化が図られているものもある。
【特許文献１】特開平９−１７０７８２号公報
【発明の開示】
【発明が解決しようとする課題】
【０００３】
しかしながら、従来の空気調和機にあっては、一対の固定板１０１のそれぞれにスリット１０２を設けるため、固定板１０１の強度が弱くなるといった問題がある。
本発明は、上述した事情に鑑みてなされたものであり、送風機枠板を固定板に仮止め可能につつ、固定板の強度を損なうことのない空気調和機を提供することを目的とする。
【課題を解決するための手段】
【０００４】
上記目的を達成するために、本発明は、本体を送風機室と熱交換器室とに仕切る仕切板と、前記送風機室に配設される送風機と、前記熱交換器室に配設される熱交換器とを有し、前記送風機室の下方に吸込口が設けられた空気調和機において、前記仕切板は、前記送風機を保持する送風機枠板と、前記本体に固定される一対の固定板とを備え、前記一対の固定板に螺子止めするための螺子止片が前記送風機枠板の前記吸込口側端部に設けられるとともに、前記螺子止片の螺子止め位置に、螺子の螺子頭よりも大径の大径孔と当該螺子頭よりも小径の小径孔とを含むだるま孔が形成され、前記固定板に遊嵌された前記螺子の螺子頭を前記小径孔に係合させて前記送風機枠板を仮止め可能にすると共に、この螺子頭が前記大径孔の方に位置するように前記送風機枠板をずらして前記送風機枠板を前記本体から取り外し可能にしたことを特徴とする空気調和機。
【０００５】
また本発明は、上記発明において、前記本体の天面に設けられ、前記送風機枠板の天面側の端部に沿って延びるガイド部材を更に備え、前記ガイド部材は前記送風機枠板の天面側の端部に係合する板受け部を有し、前記ガイド部材には前記板受け部の側面が折り曲げてなる折曲部が設けられ、前記本体内を前記仕切板に沿って引き回される配線が前記折曲部に保持されるようにしたことを特徴とする。
【発明の効果】
【０００６】
本発明によれば、送風機枠板に設けた螺子止片に、螺子の螺子頭よりも大径の大径孔と当該螺子頭よりも小径の小径孔とを含むだるま孔を形成し、固定板に遊嵌された螺子の螺子頭を小径孔に係合させて一対の固定板に送風機枠板を仮止め可能にすると共に、大径孔の方に螺子頭が位置するように送風機枠板をずらして送風機枠板を本体から取り外し可能に構成しため、固定板にスリットを設けずに送風機枠板を仮止め可能にすることができ、また、固定板の強度も損なわれることがない。
【発明を実施するための最良の形態】
【０００７】
以下、本発明の実施の形態について図面を参照して説明する。本実施の形態では、空気調和機の一態様として、厨房室の空気調和に用いて好適な天吊型の空気調和機について説明する。
【０００８】
図１は本実施の形態に係る空気調和機１の外観構成を示す斜視図である。空気調和機１は略箱型の本体１Ａを有し、この本体１Ａの正面および下面（天面）に外装パネル２、３が設けられている。本体１Ａの左右両側面４、５のそれぞれには２つの掛具８が設けられ、各掛具８に天井から吊り下げられた吊りボルト１５（図２参照）が引掛られて、空気調和機１の本体１Ａが厨房室の天井板１６の下面に設置・固定される。
【０００９】
正面の外装パネル２には風向変更用の横羽根（ルーバ）９を着脱自在に取り付けた空気吹出口１０が設けられ、また、下面には吸込グリル１１を着脱自在に取り付けられて空気吸込口１２が形成されている。さらに、空気吹出口１０の左右両側には、スポット空調用ダクト（図示せず）が接続されるダクト用吹出口１３が設けられている。すなわち、空気吹出口１０から冷温風を吹き出させると同時に空気調和室の隅々まで冷温風をスポット的に吹き出させる場合は、スポット空調ダクトをダクト吹出口１３、１３のそれぞれに接続することで冷温風の一部がダクト吹出口１３、１３からスポット空調用ダクトへ導かれ、スポット冷暖房が行われる。このスポット用吹出口１３にスポット空調用ダクトを接続しない場合には、裏面に断熱材が貼着されたカバー１４でスポット用吹出口１３が塞がれる。
【００１０】
また、上記外装パネル２、３や本体１Ａ、横羽根９、吸込グリル１１、カバー１４は、それぞれステンレスで形成されており、付着した油を洗剤で簡単に拭き取ることができるようになっている。したがって、厨房内の油煙により油が付着したとしても、光沢のあるきれいな面が簡単に再現される。
【００１１】
図２は空気調和機１の本体１Ａ内部の概略構成を示す断面図である。
空気調和機１の本体１Ａ内には仕切板２０が設けられ、この仕切板２０により本体１Ａ内が前後二室に区画される。空気吹出口１０が設けられた前側の室（以下「熱交換器室」という）２１には、熱交換器２２と、この熱交換器２２の下方に設けられた発泡スチロール製のドレンパン２３とが配設される。ドレンパン２３の上面（熱交換器２２との対向面）には断面凹状のドレン溜まり２３Ａが形成され、また、このドレンパン２３にはドレンホースが接続されるホース接続管２３Ｂ（図３参照）が設けられており、ドレン溜まり２３Ａに収集されたドレンは図示せぬドレンポンプユニットによりドレンホースを介して吸い上げられて本体１Ａの外に排出される。
【００１２】
空気吸込口１２が設けられた後側の室（以下「送風機室」という）２４には送風機ユニット２５が配設される。この送風機ユニット２５の下方には、上述した吸込グリル１１が配設され、この吸込グリル１１に空気清浄用のエアーフィルタ２６が取り付けられる。そして、送風機ユニット２５が駆動されると吸込グリル１１およびエアーフィルタ２６を通じて厨房室内の空気が本体１Ａに吸い込まれ、熱交換器２２で熱交換された後、横羽根９により風向が調整されて、空気吹出口１０を通じて厨房室内に冷温風が吹き出される。
【００１３】
図３は本体１Ａの送風機室２４側の内部構成を示す斜視図である。なお、この図には吸込グリル１１を本体１Ａから取り外した状態を背面側からみたものを示している。
同図に示すように、送風機ユニット２５は、ファン３２Ａおよびファンケース３２Ｂを有する二連の両吸込型送風機３２と、各送風機３２の間に配置された同軸モータ３３とで構成され、かかる送風機ユニット２５が仕切板２０に固定されている。
【００１４】
仕切板２０は、本体１Ａの左右側面４、５のそれぞれに螺子止め固定された左右一対の固定板５０、５１と、これらの固定板５０、５１に左右両端部が保持された送風機枠板３１とを有して構成され、この送風機枠板３１には同軸モータ３３を固定する固定具３４が設けられ、この固定具３４に送風機ユニット２５が固定される。送風機枠板３１には、図４に示すように、各送風機３２の吹出口３５が形成され、吹出口３５から熱交換器室２１に空気が送風される。
【００１５】
図５に示すように、正面下側からみて右側の固定板５１には冷媒配管挿通用の２つのＵ溝５１Ａ、５１Ｂが形成されており、図４に示すように、熱交換器２２から延びるガス管３６およびオイル管３７がＵ溝５１Ａ、５１Ｂから送風機室２４側に引き出されている。これらのガス管３６およびオイル管３７には、本体１Ａの背面６に形成された開口３８から引き込まれた、図示せぬ室外機からの冷媒配管が接続される。そして、図３に示すように、固定板５１にはガス管３６およびオイル管３７を覆い隠すカバー９０が取り付け固定され、このカバー９０にドレンパン２３の一端が固定される。
また、図３に示すように、送風機室２４の左側、すなわち、熱交換器２２のガス管３６およびオイル管３７が延在する側と反対側には、空調制御のための各種電気回路を収容した電装箱４０が配設され、上記開口３８から本体１Ａ内に引き込まれた配線が電装箱４０に接続される。
【００１６】
ここで、仕切板２０の送風機枠板３１は、図４に示すように、固定板５０、５１に対して着脱自在に保持され、メンテナンスの際などには、この送風機枠板３１を外すことで送風機ユニット２５が本体１Ａから取り外される。固定板５０、５１と送風機枠板３１との保持構造について詳細には、図４および図５に示すように、固定板５０、５１のそれぞれの下端部にＬ字状に折り曲げられてなる保持片５０Ｃ、５１Ｃが設けられ、これらの保持片５０Ｃ、５１Ｃに螺子孔５２が穿たれている。一方、図４および図６に示すように、送風機枠板３１の下端にはコ字状に折り曲げられてなる螺子止片３１Ａが設けられており、この螺子止片３１Ａには、上記保持片５０Ｃ、５１Ｃの螺子孔５２に対応する位置に、いわゆるだるま孔６０が形成されている。
【００１７】
上記だるま孔６０は、図６に示すように、保持片５０Ｃ、５１Ｃの螺子孔５２に螺合する螺子５３の螺子頭５３Ａよりも小径に形成された小径孔６０Ａと、当該螺子頭５３Ａよりも大径に形成された大径孔６０Ｂとを含み、小径孔６０Ａに通された螺子５３を締めることで、送風機枠板３１の螺子止片３１Ａが固定板５０、５１の保持片５０Ｃ、５１Ｃに螺子止めされる。さらに、本実施の形態では、図３および図６に示すように、固定板５０、５１の面内に螺子５４を通して固定板５０、５１と送風機枠板３１とを螺子止め固定し、送風機枠板３１の固定強度を高めるようにしている。
【００１８】
送風機枠板３１および送風機ユニット２５を本体１Ａから取り外す場合には、固定板５０、５１の面に締められた螺子５４を抜いて、だるま孔６０に締められた螺子５３だけで送風機枠板３１が固定された状態とする。次いで、この螺子５３を緩めて螺子孔５２に遊嵌した状態とする。このとき、だるま孔６０の小径孔６０Ａに螺子頭５３Ａが引っ掛かり、送風機枠板３１が固定板５０、５１に仮止めされた状態になる。そして、送風機枠板３１を水平方向にスライド移動させて、螺子頭５３Ａがだるま孔６０の大径孔６０Ｂに位置するようにし、送風機枠板３１を送風機ユニット２５ごと取り外す。
【００１９】
前掲図５に示すように、本体１Ａの天面７０には、左右に延びるガイド部材７１が設けられ、このガイド部材７１に、送風機枠板３１の天面７０側の縁がコ字状に形成されてなる上端縁３１ｂが係合する。具体的には、ガイド７１は、図７および図８に示すように、下方に向けて開放する断面コ字状の板受け部７１Ａを有し、送風機枠板３１の取り付けの際に、この送風機枠板３１の上端縁３１Ｂが板受け部７１Ａに嵌め込まれる。
【００２０】
また、板受け部７０Ａの一方の側面は断面Ｖ字状に折り曲げられて折曲片７１Ｂが形成され、これにより、ガイド部材７１の強度が補強されるようになっている。かかるガイド部材７１を天面７０に取り付ける際には、折曲片７１Ｂを熱交換室２１側に向けて取り付けられる。この折曲片７１Ｂの左右両端には、配線群８１を束ねて固定するための一対のワイヤークランプ８０が螺子止めされている。この配線群８１は、熱交換器２２から延びるガス管３６およびオイル管３７に取り付けられたガス冷媒温度および液冷媒温度のそれぞれを検出するための図示せぬ冷媒用温度センサから仕切板２０に沿って延び、電装箱４０（図３）まで引き回される配線群であり、上記一対のワイヤークランプ８０により束ねられてガイド部材７１に固定され、また、一対のワイヤークランプ８０の間にあっては、配線群８１がガイド部材７１の折曲片７１Ｂに保持される。これにより、メンテナンス時などに吸込グリル１１を取り外した際に、配線群８１が弛み出てメンテナンスの邪魔にならないようになっている。
【００２１】
このように、本実施の形態によれば、送風機枠板３１に設けた螺子止片３１Ａに、螺子５３の螺子頭５３Ａよりも大径の大径孔６０Ｂと当該螺子頭５３Ａよりも小径の小径孔６０Ａとを含むだるま孔６０を形成し、一対の固定板５０、５１のそれぞれに遊嵌された螺子５３の螺子頭５３Ａを小径孔に係合させて送風機枠板３１を仮止め可能にすると共に、大径孔６０Ｂの方に螺子頭５３Ａが位置するように送風機枠板３１をずらして送風機枠板３１を本体から取り外し可能に構成している。これにより、従来のように、一対の固定板５０、５１のそれぞれにスリットを設けずに送風機枠板３１を仮止めすることができ、固定板５０、５１の強度が損なわれることがない。
【００２２】
また、本実施の形態によれば、ガイド部７１の板受け部７１Ａの側面を折り曲げて折曲部７１Ｂを設け、本体１Ａ内を仕切板２０に沿って引き回される配線群８１が折曲部７１Ｂに保持される構成としたため、メンテナンス時などに吸込グリル１１を取り外した際に、配線群８１が弛み出てメンテナンスの邪魔になることがない。
【００２３】
なお、上述した実施の形態は、あくまでも本発明の一態様を示すものであり、任意に変形可能であることは勿論である。
【図面の簡単な説明】
【００２４】
【図１】本発明の実施の形態に係る空気調和機の外観構成を示す図である。
【図２】空気調和機の断面図である。
【図３】送風機室の構成を示す斜視図である。
【図４】送風機枠板の着脱を説明するための図である。
【図５】固定板およびガイド部材の構成を説明するための図である。
【図６】送風機枠板に設けられただるま孔を説明するための図である。
【図７】ガイド部材による配線群の保持構造を示す断面図である。
【図８】ガイド部材の構成を示す斜視図である。
【図９】送風機枠板の従来の保持構造を説明するための図である。
【符号の説明】
【００２５】
１  空気調和機
１Ａ  本体
１２  吸込口
２０  仕切板
２４  送風機室
２５  送風機ユニット
３１  送風機枠板
３１Ａ  螺子止片
５０、５１  一対の固定板
５２  螺子孔
５３  螺子
５３Ａ  螺子頭
６０  だるま孔
６０Ａ  小径孔
６０Ｂ  大径孔
７０  天面
７１  ガイド部材
７１Ｂ  折曲部
８０  ワイヤークランプ
８１  配線群
【図１】
2006349310.tif 000003
【図２】
2006349310.tif 000004
【図３】
2006349310.tif 000005
【図４】
2006349310.tif 000006
【図５】
2006349310.tif 000007
【図６】
2006349310.tif 000008
【図７】
2006349310.tif 000009
【図８】
2006349310.tif 000010
【図９】
2006349310.tif 000011